【手続補正書】
【提出日】平成25年3月27日(2013.3.27)
【手続補正１】
【補正対象書類名】特許請求の範囲
【補正対象項目名】全文
【補正方法】変更
【補正の内容】
【特許請求の範囲】
【請求項１】
電気エネルギーを発生させ、貯蔵し、変換し、かつ／または配送する装置における伝熱誘電流体としてのダイズ油の使用法であって、前記ダイズ油は、脂肪酸の少なくとも７０％がＣ14〜Ｃ22一価不飽和脂肪酸であり、かつ脂肪酸の１６％未満が多価不飽和脂肪酸であるものである、使用法。
【請求項２】
電気エネルギーを発生させ、貯蔵し、変換し、かつ／または配送する装置であって、
（ａ）導電性材料と、
（ｂ）誘電体と、
（ｃ）脂肪酸の少なくとも７５％がＣ14〜Ｃ22一価不飽和脂肪酸であり、かつ脂肪酸の７％未満が多価不飽和脂肪酸であるダイズ油の伝熱誘電流体と
を含む、装置。
【請求項３】
植物性トリアシルグリセロールである伝熱誘電流体をプレコンディショニングするための方法であって、
（ａ）前記流体を一定のかつ均一に分布した電磁場にさらす工程
を含む、方法。
【請求項４】
脂肪酸の少なくとも７５％がＣ14〜Ｃ22一価不飽和脂肪酸であり、かつ脂肪酸の７％未満が多価不飽和脂肪酸である、少なくとも１０重量％の植物性トリアシルグリセロールおよび／または混合物を含浸させた有機繊維構造体（例えば、織布または不織布）を含む誘電体。
【請求項５】
一定温度において改善されたＤｆ値を有する混合高オレイン酸油であって、
ａ）高オレイン酸ダイズ油である１〜１００体積％の範囲の第一の油と、
ｂ）１〜１００体積％の範囲の第二の油と
を含み、
ｃ）前記混合高オレイン酸油が少なくとも７０％のオレイン酸含量を有し、かつ前記高オレイン酸ダイズ油を含まない油と同一条件下で比較した場合、前記混合高オレイン酸油の一定温度における前記Ｄｆ値が改善される、
混合高オレイン酸油。
【請求項６】
一定温度において改善されたＤｆ値を有する混合高オレイン酸油であって、
ａ）高オレイン酸ダイズ油である１〜１００体積％の範囲の第一の油と、
ｂ）オレイン酸のモノアルキルエステルである１〜１００体積％の範囲の第二の油と、
ｃ）１〜１００体積％の範囲の第三の油と
を含み、
ｄ）前記混合高オレイン酸油が少なくとも８０％のオレイン酸含量を有し、かつ前記高オレイン酸ダイズ油を含まない、かつ／または前記高オレイン酸ブレンド物の性能を改善するために必要とされる前記油の精製オレイン酸および／または任意の単離成分を含まない油と同一条件下で比較した場合、前記混合高オレイン酸油の一定温度における前記Ｄｆ値が改善される、混合高オレイン酸油。
【手続補正２】
【補正対象書類名】明細書
【補正対象項目名】０１５０
【補正方法】変更
【補正の内容】
【０１５０】
図９は、比較の流体Ｃ１およびＣ２の、また油Ｅ２およびＥ４の誘電損率（Ｄｆ）対温度の関係をグラフの形で示し、正方形■は比較の流体Ｃ１の損率を示し、三角形▲は比較の流体Ｃ２の損率を示し、ダイヤモンド形◆は本発明により使用されるダイズ油Ｅ２およびＥ４の損率を示す（下側の線：Ｅ２、上側の線：Ｅ４）。
以下、本発明の態様を示す。
１．電気エネルギーを発生させ、貯蔵し、変換し、かつ／または配送する装置における伝熱誘電流体としてのダイズ油の使用法であって、前記ダイズ油は、脂肪酸の少なくとも７０％がＣ14〜Ｃ22一価不飽和脂肪酸であり、かつ脂肪酸の１６％未満が多価不飽和脂肪酸であるものである、使用法。
２．前記ダイズ油が、６％未満の多価不飽和脂肪酸を有する、上記１に記載の使用法。
３．前記ダイズ油が、少なくとも８０％含量のＣ14〜Ｃ22一価不飽和脂肪酸を有する、上記１または２に記載の使用法。
４．前記ダイズ油が、１２％未満または約１２％の飽和脂肪酸含量を有する、上記１〜３のいずれかに記載の使用法。
５．前記ダイズ油が、１０％未満または約１０％の飽和脂肪酸含量を有する、上記１〜４のいずれかに記載の使用法。
６．前記ダイズ油が、４％未満の多価不飽和脂肪酸を有する、上記１〜５のいずれかに記載の使用法。
７．前記一価不飽和脂肪酸が、Ｃ18一価不飽和脂肪酸である、上記１〜６のいずれかに記載の使用法。
８．前記一価不飽和脂肪酸がオレイン酸である、上記１〜７のいずれかに記載の使用法。
９．前記多価不飽和脂肪酸が、２個または３個の二重結合を有するＣ18脂肪酸、好ましくはＣ１８：２および／またはＣ１８：３である、上記１〜８のいずれか一項に記載の使用法。
１０．前記ダイズ油が、６％または約６％のＣ１６：０、３％または約３％のＣ１８：０、８６％または約８６％のＣ１８：１、２％または約２％のＣ１８：２、および２％または約２％のＣ１８：３の脂肪酸含量を有する、上記１〜９のいずれか一項に記載の使用法。
１１．前記ダイズ油が、６％または約６％のＣ１６：０、４％または約４％のＣ１８：０、７９％または約７９％のＣ１８：１、４％または約４％のＣ１８：２、および２％または約２％のＣ１８：３の脂肪酸含量を有する、上記１〜１０のいずれか一項に記載の使用法。
１２．前記ダイズ油が、７％または約７％のＣ１６：０、４％または約４％のＣ１８：０、７０％または約７０％のＣ１８：１、１３％または約１３％のＣ１８：２、および３％または約３％のＣ１８：３の脂肪酸含量を有する、上記１〜１１のいずれか一項に記載の使用法。
１３．前記ダイズ油が、６％または約６％のＣ１６：０、４％または約４％のＣ１８：０、７４％または約７４％のＣ１８：１、９％または約９％のＣ１８：２、および３％または約３％のＣ１８：３の脂肪酸含量を有する、上記１〜１２のいずれか一項に記載の使用法。
１４．前記ダイズ油が、６％または約６％のＣ１６：０、４％または約４％のＣ１８：０、７８％または約７８％のＣ１８：１、４％または約４％のＣ１８：２、および２％または約２％のＣ１８：３の脂肪酸含量を有する、上記１〜１３のいずれか一項に記載の使用法。
１５．前記ダイズ油が、さらにトコフェロール酸化防止剤を少なくとも８５ｍｇ／油１００ｇの濃度で含む、上記１〜１４のいずれか一項に記載の使用法。
１６．前記トコフェロールが、天然に産出するトコフェロールである、上記１５に記載の使用法。
１７．前記ダイズ油が、オレオイル  １２−デサチュラーゼをコードする遺伝子の発現を高めるように遺伝子操作されている種子植物から得られる、上記１〜１６のいずれか一項に記載の使用法。
１８．Ｃ１８：２の含量が５％未満または約５％である、上記１〜１７のいずれか一項に記載の使用法。
１９．電気エネルギーを発生させ、貯蔵し、変換し、かつ／または配送する装置であって、
（ａ）導電性材料と、
（ｂ）誘電体と、
（ｃ）脂肪酸の少なくとも７５％がＣ14〜Ｃ22一価不飽和脂肪酸であり、かつ脂肪酸の７％未満が多価不飽和脂肪酸であるダイズ油の伝熱誘電流体と
を含む、装置。
２０．前記ダイズ油が、上記１〜１８のいずれか一項に記載の植物性の油である、上記１９に記載の装置。
２１．前記誘電体が、セルロースまたはアラミド、ポリイミド、ポリフェニルスルホン、ポリアミド、ポリエステル（例えばＰＥＴ）、およびポリエチレンから作られる紙または板材、ならびにそれらによる様々な形態の組合せ、例えば複合体、積層板、形態的に合わせて作られた表面および／または多次元構造体、およびこれらの混成物／混合物である、上記１９または２０に記載の装置。
２２．植物性トリアシルグリセロールである伝熱誘電流体をプレコンディショニングするための方法であって、
（ａ）前記流体を一定のかつ均一に分布した電磁場にさらす工程
を含む、方法。
２３．前記電磁場が、マイクロ波の形態であり、少なくとも１００℃または約１００℃ではあるが、１７０℃以下または約１７０℃まで前記植物性トリアシルグリセロールを加熱するのに十分な出力で、かつ十分な時間適用される、上記２２に記載の方法。
２４．脂肪酸の少なくとも７５％がＣ14〜Ｃ22一価不飽和脂肪酸であり、かつ脂肪酸の７％未満が多価不飽和脂肪酸である、少なくとも１０重量％の植物性トリアシルグリセロールおよび／または混合物を含浸させた有機繊維構造体（例えば、織布または不織布）を含む誘電体。
２５．前記植物性トリアシルグリセロールが、６％未満の多価不飽和脂肪酸を有する、上記２４に記載の誘電体。
２６．一定温度において改善されたＤｆ値を有する混合高オレイン酸油であって、
ａ）高オレイン酸ダイズ油である１〜１００体積％の範囲の第一の油と、
ｂ）１〜１００体積％の範囲の第二の油と
を含み、
ｃ）前記混合高オレイン酸油が少なくとも７０％のオレイン酸含量を有し、かつ前記高オレイン酸ダイズ油を含まない油と同一条件下で比較した場合、前記混合高オレイン酸油の一定温度における前記Ｄｆ値が改善される、
混合高オレイン酸油。
２７．２３℃で測定した場合、１．２×１０-3未満または約１．２×１０-3のＤｆを有する、上記２６に記載の混合高オレイン酸油。
２８．７０℃で測定した場合、５．４×１０-3未満または約５．４×１０-3のＤｆを有する、上記２６に記載の混合高オレイン酸油。
２９．９０℃で測定した場合、９．１×１０-3未満または約９．１×１０-3のＤｆを有する、上記２６に記載の混合高オレイン酸油。
３０．１００℃で測定した場合、１．２１×１０-2未満または約１．２１×１０-2のＤｆを有する、上記２６に記載の混合高オレイン酸油。
３１．１２０℃で測定した場合、１．９５×１０-2未満または約１．９５×１０-2のＤｆを有する、上記２６に記載の混合高オレイン酸油。
３２．１３０℃で測定した場合、２．３２×１０-2未満または約２．３２×１０-2のＤｆを有する、上記２６に記載の混合高オレイン酸油。
３３．２３〜１３０℃または約２３〜１３０℃の温度範囲にわたって２．３２×１０-2未満のＤｆを有する、上記２６に記載の混合高オレイン酸油。
３４．２３℃で測定した場合、２．５×１０-4未満または約２．５×１０-4のＤｆを有する、上記２６に記載の混合高オレイン酸油。
３５．７０℃で測定した場合、１．５×１０-3未満または約１．５×１０-3のＤｆを有する、上記２６に記載の混合高オレイン酸油。
３６．９０℃で測定した場合、３×１０-3未満または約３×１０-3のＤｆを有する、上記２６に記載の混合高オレイン酸油。
３７．１００℃で測定した場合、４×１０-3未満または約４×１０-3のＤｆを有する、上記２６に記載の混合高オレイン酸油。
３８．１２０℃で測定した場合、７×１０-3未満または約７×１０-3のＤｆを有する、上記２６に記載の混合高オレイン酸油。
３９．１３０℃で測定した場合、１×１０-2未満または約１×１０-2のＤｆを有する、上記２６に記載の混合高オレイン酸油。
４０．２３〜１３０℃または約２３〜１３０℃の温度範囲にわたって０．０１未満のＤｆを有する、上記２６に記載の混合高オレイン酸油。
４１．一定温度において改善されたＤｆ値を有する混合高オレイン酸油であって、
ａ）高オレイン酸ダイズ油である１〜１００体積％の範囲の第一の油と、
ｂ）オレイン酸のモノアルキルエステルである１〜１００体積％の範囲の第二の油と、
ｃ）１〜１００体積％の範囲の第三の油と
を含み、
ｄ）前記混合高オレイン酸油が少なくとも８０％のオレイン酸含量を有し、かつ前記高オレイン酸ダイズ油を含まない、かつ／または前記高オレイン酸ブレンド物の性能を改善するために必要とされる前記油の精製オレイン酸および／または任意の単離成分を含まない油と同一条件下で比較した場合、前記混合高オレイン酸油の一定温度における前記Ｄｆ値が改善される、混合高オレイン酸油。
４２．前記油が、トコフェロール、トコトリエノール、天然に産出するトコフェロール、天然に産出するトコトリエノール、Ｌｕｂｒｉｚｏｌ  ７６５３、ＴＢＨＱ、Ｄｅｃａｎｏｘ  ＭＰＳ−９０、および／または天然植物の抽出物からなる群から選択される少なくとも１種類の酸化防止剤を含む、上記２６〜４１のいずれか一項に記載の油。